(57)【特許請求の範囲】
【請求項１】
停電アダプタを備え、停電時に前記停電アダプタの機能が有効になることによって、前記停電アダプタを介してアナログ網に接続され前記アナログ網経由の通話が可能となるＩＰ電話機であって、
緊急通報用電話番号がダイヤルされたことを検出する緊急通報検出手段と、
この緊急通報検出手段にて前記緊急通報用電話番号がダイヤルされたことを検出した場合に前記停電アダプタの機能を有効とし、ダイヤルされた緊急通報用電話番号を前記停電アダプタを介して前記アナログ網に発信する発信手段とを備えたことを特徴とするＩＰ電話機。
【請求項２】
前記ＩＰ電話機は、通常時にはＩＰネットワークに接続され前記ＩＰネットワーク経由の通話が可能であることを特徴とする請求項１に記載のＩＰ電話機。
【請求項３】
前記ＩＰ電話機は、通常時はＩＰネットワークを介してＩＰ−ＰＢＸに接続され前記ＩＰネットワーク及び前記ＩＰ−ＰＢＸ経由の通話が可能であることを特徴とする請求項１に記載のＩＰ電話機。
【請求項４】
ダイヤルされた緊急通報用電話番号を緊急通報先に発信した後の前記緊急通報先との通話終了を検出する通話終了検出手段と、
この通話終了検出手段にて前記通話終了を検出した場合に前記停電アダプタの機能を無効とし、前記ＩＰ電話機が前記ＩＰネットワークに接続され前記ＩＰネットワーク経由の通話が可能である通常時の状態に戻す手段とを更に有することを特徴とする請求項２に記載のＩＰ電話機。
【請求項５】
ダイヤルされた緊急通報用電話番号を緊急通報先に発信した後の前記緊急通報先との通話終了を検出する通話終了検出手段と、
この通話終了検出手段にて前記通話終了を検出した場合に前記停電アダプタの機能を無効とし、前記ＩＰ電話機が前記ＩＰネットワークに接続され前記ＩＰネットワーク及び前記ＩＰ−ＰＢＸ経由の通話が可能である通常時の状態に戻す手段とを更に有することを特徴とする請求項３に記載のＩＰ電話機。
【請求項６】
ダイヤルされた緊急通報用電話番号を緊急通報先に発信した後の前記緊急通報先からの折り返し電話による通話終了を検出する通話終了検出手段と、
この通話終了検出手段にて前記通話終了を検出した場合に前記停電アダプタの機能を無効とし、前記ＩＰ電話機が前記ＩＰネットワークに接続され前記ＩＰネットワーク経由の通話が可能である通常時の状態に戻す手段とを更に有することを特徴とする請求項２に記載のＩＰ電話機。
【請求項７】
ダイヤルされた緊急通報用電話番号を緊急通報先に発信した後の前記緊急通報先からの折り返し電話による通話終了を検出する通話終了検出手段と、
この通話終了検出手段にて前記通話終了を検出した場合に前記停電アダプタの機能を無効とし、前記ＩＰ電話機が前記ＩＰネットワークに接続され前記ＩＰネットワーク及び前記ＩＰ−ＰＢＸ経由の通話が可能である通常時の状態に戻す手段とを更に有することを特徴とする請求項３に記載のＩＰ電話機。
【請求項８】
ＩＰ−ＰＢＸとＩＰ電話機とを有し、
前記ＩＰ電話機は、通常時はＩＰネットワークを介して前記ＩＰ−ＰＢＸに接続され前記ＩＰネットワーク及び前記ＩＰ−ＰＢＸ経由の通話が可能であるＩＰ電話システムにおいて、
前記ＩＰ電話機は、停電アダプタを備え、停電時に前記停電アダプタの機能が有効になることによって、前記停電アダプタを介してアナログ網に接続され前記アナログ網経由の通話が可能となるＩＰ電話機であって、
前記ＩＰ電話機は、
緊急通報用電話番号がダイヤルされたことを検出する緊急通報検出手段と、
この緊急通報検出手段にて前記緊急通報用電話番号がダイヤルされたことを検出した場合に前記停電アダプタの機能を有効とし、ダイヤルされた緊急通報用電話番号を前記停電アダプタを介して前記アナログ網に発信する発信手段とを備えたことを特徴とするＩＰ電話システム。
【請求項９】
前記ＩＰ電話機は、
ダイヤルされた緊急通報用電話番号を緊急通報先に発信した後の前記緊急通報先との通話終了を検出する通話終了検出手段と、
この通話終了検出手段にて前記通話終了を検出した場合に前記停電アダプタの機能を無効とし、前記ＩＰ電話機が前記ＩＰネットワークに接続され前記ＩＰネットワーク及び前記ＩＰ−ＰＢＸ経由の通話が可能である通常時の状態に戻す手段とを更に有することを特徴とする請求項８に記載のＩＰ電話システム。
【請求項１０】
ダイヤルされた緊急通報用電話番号を緊急通報先に発信した後の前記緊急通報先からの折り返し電話による通話終了を検出する通話終了検出手段と、
この通話終了検出手段にて前記通話終了を検出した場合に前記停電アダプタの機能を無効とし、前記ＩＰ電話機が前記ＩＰネットワークに接続され前記ＩＰネットワーク及び前記ＩＰ−ＰＢＸ経由の通話が可能である通常時の状態に戻す手段とを更に有することを特徴とする請求項８に記載のＩＰ電話システム。
【請求項１１】
停電アダプタを備え、停電時に前記停電アダプタの機能が有効になることによって、前記停電アダプタを介してアナログ網に接続され前記アナログ網経由の通話が可能となるＩＰ電話機におけるダイヤル発信方法であって、
緊急通報用電話番号がダイヤルされたことを検出する緊急通報検出ステップと、
この緊急通報検出ステップにて前記緊急通報用電話番号がダイヤルされたことを検出した場合に前記停電アダプタの機能を有効とし、ダイヤルされた緊急通報用電話番号を前記停電アダプタを介して前記アナログ網に発信する発信ステップとを備えたことを特徴とするＩＰ電話機におけるダイヤル発信方法。
【請求項１２】
前記ＩＰ電話機は、通常時にはＩＰネットワークに接続され前記ＩＰネットワーク経由の通話が可能であり、
前記ダイヤル発信方法は、
ダイヤルされた緊急通報用電話番号を緊急通報先に発信した後の前記緊急通報先との通話終了を検出する通話終了検出ステップと、
この通話終了検出ステップにて前記通話終了を検出した場合に前記停電アダプタの機能を無効とし、前記ＩＰ電話機が前記ＩＰネットワークに接続され前記ＩＰネットワーク経由の通話が可能である通常時の状態に戻すステップとを更に有することを特徴とする請求項１１に記載のＩＰ電話機におけるダイヤル発信方法。
【請求項１３】
前記ＩＰ電話機は、通常時はＩＰネットワークを介してＩＰ−ＰＢＸに接続され前記ＩＰネットワーク及び前記ＩＰ−ＰＢＸ経由の通話が可能であり、
前記ダイヤル発信方法は、
ダイヤルされた緊急通報用電話番号を緊急通報先に発信した後の前記緊急通報先との通話終了を検出する通話終了検出ステップと、
この通話終了検出ステップにて前記通話終了を検出した場合に前記停電アダプタの機能を無効とし、前記ＩＰ電話機が前記ＩＰネットワークに接続され前記ＩＰネットワーク及び前記ＩＰ−ＰＢＸ経由の通話が可能である通常時の状態に戻すステップとを更に有することを特徴とする請求項１１に記載のＩＰ電話機におけるダイヤル発信方法。
【請求項１４】
前記ＩＰ電話機は、通常時にはＩＰネットワークに接続され前記ＩＰネットワーク経由の通話が可能であり、
前記ダイヤル発信方法は、
ダイヤルされた緊急通報用電話番号を緊急通報先に発信した後の前記緊急通報先からの折り返し電話による通話終了を検出する通話終了検出ステップと、
この通話終了検出ステップにて前記通話終了を検出した場合に前記停電アダプタの機能を無効とし、前記ＩＰ電話機が前記ＩＰネットワークに接続され前記ＩＰネットワーク経由の通話が可能である通常時の状態に戻すステップとを更に有することを特徴とする請求項１１に記載のＩＰ電話機におけるダイヤル発信方法。
【請求項１５】
前記ＩＰ電話機は、通常時はＩＰネットワークを介してＩＰ−ＰＢＸに接続され前記ＩＰネットワーク及び前記ＩＰ−ＰＢＸ経由の通話が可能であり、
前記ダイヤル発信方法は、
ダイヤルされた緊急通報用電話番号を緊急通報先に発信した後の前記緊急通報先からの折り返し電話による通話終了を検出する通話終了検出ステップと、
この通話終了検出ステップにて前記通話終了を検出した場合に前記停電アダプタの機能を無効とし、前記ＩＰ電話機が前記ＩＰネットワークに接続され前記ＩＰネットワーク及び前記ＩＰ−ＰＢＸ経由の通話が可能である通常時の状態に戻すステップとを更に有することを特徴とする請求項１１に記載のＩＰ電話機におけるダイヤル発信方法。
【発明の詳細な説明】
【技術分野】
【０００１】
本発明はＩＰ電話機に関する。本発明は、また、ＩＰ電話機を有するＩＰ電話システムに関する。本発明は、更に、ＩＰ電話機におけるダイヤル発信方法に関する。
【背景技術】
【０００２】
特許文献１は、要約に、ＩＰ（Internet Protocol）電話機は、通常時はＩＰネットワークと接続されてＩＰ−ＰＢＸ（Internet Protocol-Private Branch eXchange）配下の内線電話機として通話を行い、ＩＰネットワーク上に障害が発生する、もしくは停電などにより電源供給が絶たれた場合には、ＩＰ電話機は、ゲートウェイを介して一般公衆網と接続されて外線電話機として通話を行う非常時接続システムを開示している。
【０００３】
【特許文献１】特開２００５−２６８９８号公報
【発明の開示】
【発明が解決しようとする課題】
【０００４】
しかしながら、上記非常時接続システムでは、ＩＰネットワーク上に障害が発生せず、しかも、電源供給が絶たれていない通常時に、ＩＰ電話機で緊急通報用電話番号がダイヤルされると、ダイヤルはＩＰネットワーク経由で発信される為、ダイヤル以降にＩＰネットワーク内に障害が発生した場合、ダイヤル以降の音声の遅延や途切れなどが発生し、通話の品質や速度が保証されない。
【０００５】
更に、ＩＰ電話の番号体系が未定であり、発信者や地域を特定できないため、万が一電話が切れてしまった場合での、警察や消防からの折り返し電話（コールバック）が不可能である。
【０００６】
本発明の課題は、ＩＰ電話機から緊急通報用電話番号をダイヤルした場合に、緊急通報先との確実な通話が行えるようにすることにある。
【課題を解決するための手段】
【０００７】
本発明の第１の態様によれば、
停電アダプタを備え、停電時に前記停電アダプタの機能が有効になることによって、前記停電アダプタを介してアナログ網に接続され前記アナログ網経由の通話が可能となるＩＰ電話機であって、
緊急通報用電話番号がダイヤルされたことを検出する緊急通報検出手段と、
この緊急通報検出手段にて前記緊急通報用電話番号がダイヤルされたことを検出した場合に前記停電アダプタの機能を有効とし、ダイヤルされた緊急通報用電話番号を前記停電アダプタを介して前記アナログ網に発信する発信手段とを備えたことを特徴とするＩＰ電話機が得られる。
【０００８】
本発明の第２の態様によれば、
ＩＰ−ＰＢＸとＩＰ電話機とを有し、
前記ＩＰ電話機は、通常時はＩＰネットワークを介して前記ＩＰ−ＰＢＸに接続され前記ＩＰネットワーク及び前記ＩＰ−ＰＢＸ経由の通話が可能であるＩＰ電話システムにおいて、
前記ＩＰ電話機は、停電アダプタを備え、停電時に前記停電アダプタの機能が有効になることによって、前記停電アダプタを介してアナログ網に接続され前記アナログ網経由の通話が可能となるＩＰ電話機であって、
前記ＩＰ電話機は、
緊急通報用電話番号がダイヤルされたことを検出する緊急通報検出手段と、
この緊急通報検出手段にて前記緊急通報用電話番号がダイヤルされたことを検出した場合に前記停電アダプタの機能を有効とし、ダイヤルされた緊急通報用電話番号を前記停電アダプタを介して前記アナログ網に発信する発信手段とを備えたことを特徴とするＩＰ電話システムが得られる。
【０００９】
本発明の第３の態様によれば、
停電アダプタを備え、停電時に前記停電アダプタの機能が有効になることによって、前記停電アダプタを介してアナログ網に接続され前記アナログ網経由の通話が可能となるＩＰ電話機におけるダイヤル発信方法であって、
緊急通報用電話番号がダイヤルされたことを検出する緊急通報検出ステップと、
この緊急通報検出ステップにて前記緊急通報用電話番号がダイヤルされたことを検出した場合に前記停電アダプタの機能を有効とし、ダイヤルされた緊急通報用電話番号を前記停電アダプタを介して前記アナログ網に発信する発信ステップとを備えたことを特徴とするＩＰ電話機におけるダイヤル発信方法が得られる。
【発明の効果】
【００１０】
本発明によれば、ＩＰ電話機が緊急通報用電話番号をダイヤルした場合、アナログ網経由で緊急通報用電話番号を発信することができ、確実な通話が可能となる。
【００１１】
「緊急通報用電話番号がダイヤルされたことを検出し、緊急通報用電話番号がダイヤルされたことを検出した場合に停電アダプタの機能を有効とし、ダイヤルされた緊急通報用電話番号を停電アダプタを介してアナログ網に発信する」という本発明の特徴は、前記特許文献１には開示がない。
【発明を実施するための最良の形態】
【００１２】
次に本発明の実施形態について図面を参照して説明する。
【００１３】
図１を参照すると、本発明の一実施形態によるＩＰ電話システムは、ＩＰ−ＰＢＸ（Internet Protocol-Private Branch eXchange）１とＩＰ電話機４とを有する。ＩＰ電話機４は、通常時はＩＰネットワーク２を介してＩＰ−ＰＢＸ１に接続されＩＰネットワーク２及びＩＰ−ＰＢＸ１経由の通話が可能である。この際、例えば、ＩＰ電話機４は、ＩＰネットワーク２、ＩＰ−ＰＢＸ１、アナログ網３に接続された交換局６、及びアナログ網３を経由しての通話が可能である。
【００１４】
ＩＰ電話機４は、停電アダプタ５と直接接続されており、停電時には、停電アダプタ５の機能が有効になることによって、停電アダプタ５を介してアナログ網３に接続されアナログ網３経由の通話が可能となる。この際、ＩＰ電話機４は、停電アダプタ５、交換局６、及びアナログ網３を経由しての通話が可能となる。
【００１５】
ＩＰ電話機４は、緊急通報用電話番号がダイヤルされたことを検出する緊急通報検出部４０ａと、この緊急通報検出部４０ａにて緊急通報用電話番号がダイヤルされたことを検出した場合に停電アダプタ５の機能を有効とし、ダイヤルされた緊急通報用電話番号を停電アダプタ５を介してアナログ網３に発信する発信部４０ｂとを備えている。
【００１６】
緊急通報用電話番号としては、例えば、救急の１１９、警察への１１０があげられる。
【００１７】
図２を参照すると、ＩＰ電話機４は、キーパッドインターフェース部４１と、ダイヤル識別部４２と、緊急通報用電話番号を記憶している緊急通報用電話番号メモリ４３と、ダイヤル送出部４４と、ネットワーク切替部４５と、通話監視部４６とを有する。
【００１８】
次に、本発明の実施例の動作について図２及び図３を参照して説明する。
【００１９】
ＩＰ電話機４は、ユーザーがダイヤルするためのキーパッドインターフェース部４１を有している。
【００２０】
ダイヤル識別部４２は、キーパッドインターフェース部４１からユーザーがダイヤルした番号を取得し、ユーザーがダイヤルした番号と、緊急通報用電話番号メモリ４３中の緊急通報用電話番号とを比較する。
【００２１】
ダイヤル識別部４２は、ユーザーがダイヤルした番号が緊急通報用電話番号でなかった場合は、ダイヤル送出部４４からＩＰネットワーク２経由で発信する。
【００２２】
ダイヤル識別部４２は、ユーザーがダイヤルした番号が緊急通報用電話番号であった場合は、緊急通報用電話番号検出情報４２aをネットワーク切替部４５へ通知する。
【００２３】
緊急通報用電話番号情報４２ａを取得したネットワーク切替部４５は、停電アダプタ５の電源部５１をＯＮにする。これにより、停電アダプタ５の機能が有効になり、通常時（即ち、停電時ではなく通電時）に有効であったＩＰネットワーク２とのインターフェースから、停電アダプタ５を介してのアナログ網３とのインターフェースへと切り替わり、ユーザーがダイヤルした緊急通報用電話番号をダイヤル送出部４４から停電アダプタ５及びアナログ網３経由で緊急通報先に発信する。
【００２４】
停電アダプタ５及びアナログ網３経由での緊急通報先との通話が終了した際は、通話監視部４６はネットワーク切替部４５へ緊急通報用電話番号通話終了情報４６ａを送信する。ネットワーク切替部４５は、緊急通報用電話番号通話終了情報４６ａを受信すると、停電アダプタ５の電源部５１をＯＦＦにし、アナログ網３とのインターフェースからＩＰネットワーク２とのインターフェースへと切り替え、ＩＰ電話機４を通常時（即ち、停電時ではなく通電時）の状態にする。
【００２５】
このように、図２において、ダイヤル識別部４２及び緊急通報用電話番号メモリ４３は、緊急通報用電話番号がダイヤルされたことを検出する緊急通報検出部４０ａ（図１）として作用する。また、ネットワーク切替部４５及びダイヤル送出部４４は、この緊急通報検出部４０ａ（図１）にて緊急通報用電話番号がダイヤルされたことを検出した場合に停電アダプタ５の機能を有効とし、ダイヤルされた緊急通報用電話番号を停電アダプタ５を介してアナログ網３に発信する発信部４０ｂ（図１）として作用する。
【００２６】
また、図２において、通話監視部４６は、ダイヤルされた緊急通報用電話番号を緊急通報先に発信した後の緊急通報先との通話終了を検出する通話終了検出部として作用する。
【００２７】
さらに、図２において、ネットワーク切替部４５は、この通話終了検出部４６にて通話終了を検出した場合に停電アダプタ５の機能を無効とし、ＩＰ電話機４がＩＰネットワーク２に接続されＩＰネットワーク２及びＩＰ−ＰＢＸ１経由の通話が可能である通常時の状態に戻す機能部として作用する。
【００２８】
なお、図２において、通話監視部４６は、ダイヤルされた緊急通報用電話番号を緊急通報先に発信した後の緊急通報先（消防、警察など）からの折り返し電話による通話終了を検出する通話終了検出部として作用させることも出来る。この場合、ネットワーク切替部４５は、折り返し電話による通話終了を検出した場合に停電アダプタ５の機能を無効とし、ＩＰ電話機４がＩＰネットワーク２に接続されＩＰネットワーク２及びＩＰ−ＰＢＸ１経由の通話が可能である通常時の状態に戻す。
【００２９】
図４を参照すると、図１のＩＰ電話機及び停電アダプタの別の例が示されている。
【００３０】
図４において、通常時には、停電アダプタ５は電源アダプタ５２０によりリレー駆動回路Ａ５３０が動作し、リレー接点５４０がａ側となり、ハンドセット５１０はＩＰ電話機４内のインターフェース４７０及びハンドセット回路部４３０を介して制御部４４０へ接続されている。フックスイッチ４２０も制御部４４０に接続され、制御部４４０はＩＰネットワーク接続部４６０を介してＩＰネットワーク２に接続されている。
【００３１】
なお、停電時には、リレー駆動回路Ａ５３０が非動作となり、リレー接点５４０がｂ側となり、ハンドセット５１０は停電アダプタ５側に接続され、停電時においては停電アダプタ（アナログ電話機）５にて対応できるものである。この際、ハンドセット５１０は、スピーチ回路部５５０及び回線接続制御部５８０を介してアナログ網３へ接続される。ダイヤルラー部５６０は回線接続制御部５８０を介してアナログ網３へ接続されており、着信鳴動部５９０はアナログ網３に接続されている。
【００３２】
ここで説明は通常時の動作に戻る。通常時において、ＩＰ電話機４においては、制御部４４０の緊急通報用電話番号制御部４５０は、事前に設定された緊急通報用電話番号と、キーマトリックス４１０からの入力電話番号を比較し、一致した場合一致信号を停電アダプタ５へ出力する機能を持つ。
【００３３】
キーマトリックス４１０は、ダブル接点により停電アダプタ（アナログ電話機）５側およびＩＰ電話機４のキーとして動作する。
【００３４】
ユーザーがキーマトリックス４１０から入力した電話番号をＩＰ電話機４の緊急通報用電話番号制御部４５０にて識別し、既に設定されている緊急通報用電話番号と比較して一致した場合は停電アダプタ（アナログ電話機）５側のリレー駆動回路５３０へ信号を送出し、この信号によってもリレー接点５４０をｂ側にし、ハンドセット５１０を停電アダプタ（アナログ電話機）５側へ切り替える。
【００３５】
この際、ハンドセット５１０は、スピーチ回路部５５０及び回線接続制御部５８０を介してアナログ網３へ接続される。
【００３６】
このように、ＩＰ電話機４に停電アダプタ５を接続した状態でＩＰ電話機４側から緊急通報用電話番号ダイヤル検出により停電アダプタ（アナログ電話機）５へ切り替えることで、緊急発信時の緊急通報先との通信を可能とするものである。
【００３７】
緊急通報用電話番号としては、例えば、救急の１１９、警察への１１０があげられる。
【００３８】
通話監視部５７０は、緊急通報用電話番号の通報先との通話終了を検出すると、通話監視部５７０からの信号をインタフェース４７０及び制御部４４０を介してリレー駆動回路５３０に与え、リレー接点５４０をａ側にし、ハンドセット５１０をＩＰ電話機４へ切り替える。
【００３９】
詳細には、緊急通報用電話番号ダイヤルしたことを停電アダプタ（アナログ電話機）５の通話監視部５７０にて記憶しておき、その後の通報先からの折り返し電話（コールバック）によるコールバック信号の着信を受けた場合は、緊急通報用電話番号ダイヤルされた電話機として停電アダプタ（アナログ電話機）５側にて応答通話出来るものである。緊急通報用電話番号による通話終了後はＩＰ電話機４へ切り替わる。
【００４０】
以上の図４のＩＰ電話機の動作のフローチャートを図５に示した。
【００４１】
以上、実施形態を参照して本願発明を説明したが、本願発明は上記実施形態に限定されるものではない。本願発明の構成や詳細には、本願発明のスコープ内で当業者が理解し得る様々な変更をすることができる。
【図面の簡単な説明】
【００４２】
【図１】本発明の一実施形態によるＩＰ電話システムのブロック図である。
【図２】図１のＩＰ電話機及び停電アダプタの一例を示したブロック図である。
【図３】図２に示されたＩＰ電話機の動作を説明するためのフローチャートである。
【図４】図１のＩＰ電話機及び停電アダプタの別の例を示したブロック図である。
【図５】図４に示されたＩＰ電話機の動作を説明するためのフローチャートである。
【符号の説明】
【００４３】
１    ＩＰ−ＰＢＸ
２    ＩＰネットワーク
３    アナログ網
４    ＩＰ電話機
５    停電アダプタ
６    交換局
４０ａ    緊急通報検出部
４０ｂ    発信部
【図１】
0005120815.tif 000002
【図２】
0005120815.tif 000003
【図３】
0005120815.tif 000004
【図４】
0005120815.tif 000005
【図５】
0005120815.tif 000006